(57)【要約】【課題】ハウジングの把持を受ける部分にモータを内蔵させた電動工具装置において、組立性の向上を図る。【解決手段】ハウジングの把持を受ける部分にモータ１２を内蔵させることによってコンパクト化を図った電動工具装置１０において、ハウジング３０を、モータ１２及び中間軸４０を収納するモータ収納領域と、出力機構部２０を収納する出力機構収納領域と、電気系統部５０を収納する電気系統収納領域と、から成る３つの領域に仕切るように構成する。そして、出力機構収納領域はハウジング本体部３１に、モータ収納領域及び電気系統収納領域はハウジング把持部３２に設置されており、これら３つの領域は、ハウジング内に形成された仕切壁によって仕切られている。なお、出力機構部２０は、外郭全体が少なくとも３つの部材を組み合わせて構成されるケース２４によって覆われていることが好適である。【選択図】図１
2007290071.tif 000002
【特許請求の範囲】
【請求項１】
駆動源となるモータと、
前記モータからの駆動力を工具に伝達する出力機構部と、
前記モータが備えるモータ出力軸と前記出力機構部が備える動力伝達軸とに係合し、前記モータ出力軸からの回転駆動力を前記動力伝達軸に伝達可能である中間軸と、
電力供給源からの電力を前記モータに供給するとともに該モータの制御を行う電気系統部と、
装置の外郭を構成するハウジングと、
を備え、前記モータ出力軸に対して前記動力伝達軸が角度を持って配置されている電動工具装置であって、
前記ハウジングは、
前記モータ及び前記中間軸を収納するモータ収納領域と、
前記出力機構部を収納する出力機構収納領域と、
前記電気系統部を収納する電気系統収納領域と、
から成る３つの領域に仕切られて構成されていることを特徴とする電動工具装置。
【請求項２】
請求項１に記載の電動工具装置において、
前記ハウジングは、
前方に工具装着手段を備えるとともに内部に前記出力機構部を収納するハウジング本体部と、
前記ハウジング本体部から下方に延びて設けられ、操作者からの把持を受けるとともに内部に前記モータ、前記中間軸及び前記電気系統部を収納するハウジング把持部と、
から構成されており、
前記ハウジング本体部には前記出力機構収納領域が設けられ、また、
前記ハウジング把持部には前記モータ収納領域及び前記電気系統収納領域が設けられており、さらに、
前記３つの領域は、前記ハウジング内に形成された仕切壁によって仕切られていることを特徴とする電動工具装置。
【請求項３】
請求項１又は２に記載の電動工具装置において、
前記出力機構部は、外郭全体が少なくとも３つの部材を組み合わせて構成されるケースによって覆われていることを特徴とする電動工具装置。
【請求項４】
請求項３に記載の電動工具装置において、
前記ケースは、構成部材のうちの少なくとも１つが金属材料によって構成されており、且つ、該ケースに設置可能な軸受を介して前記中間軸を軸支可能であることを特徴とする電動工具装置。
【発明の詳細な説明】
【技術分野】
【０００１】
本発明は、電動工具装置に係り、特に、ハウジングの把持を受ける部分にモータを内蔵させることによってコンパクト化を図った電動工具装置の改良に関するものである。
【背景技術】
【０００２】
従来から、駆動源であるモータからの駆動力を工具に伝えて所望の作業を行う装置として、電動工具装置が知られている。この種の電動工具装置は、モータ及び該モータからの駆動力を工具に伝達する出力機構部を備えて構成されているが、これらモータと出力機構部の配置関係は、ハウジング内に直列配置されることが一般的であった（例えば、下記特許文献１参照）。
【０００３】
しかしながら、下記特許文献１に開示されるようなこれまでの一般的な電動工具装置の場合、モータと出力機構部は装置上部に直列配置されるので、重心が装置の上方に位置してしまい、装置全体としてのバランスが非常に悪いという問題を有していた。このように重心が装置の上方に位置してしまうと、作業性にも影響を及ぼしてしまうため、装置自体の作業効率も低下させてしまうことになる。
【０００４】
そこで、上記のような問題を解決するための装置として、例えば下記特許文献２には、ハウジングの上部側（頂部）に出力機構部を収納配置するとともに、ハウジングの持ち手部分となる把持部側（ハンドル部）にモータを収納配置するようにした電動工具装置が開示されている。そして、かかる電動工具装置によれば、比較的バランスが良く、ユーザが手でグリップするのに快適な装置が提供できるとされている。
【０００５】
【特許文献１】特開２０００−４２９３６号公報
【特許文献２】特開２００２−２６４０４２号公報
【発明の開示】
【発明が解決しようとする課題】
【０００６】
しかしながら、上記特許文献１，２に代表される従来の電動工具装置では、モータ、モータ出力軸及び出力機構部がすべて連結された状態でハウジングに組み込まれることになるので、組立性が悪いという問題が存在していた。
【０００７】
また、ハウジング内には、モータやスイッチボックスへの電力供給に用いられる電気配線類を収納する必要があるが、従来の電動工具装置にあっては、他の機器の組み込みと同時に電気配線類の取り回し処理を行う必要があるため、かかる処理の存在も組立性悪化の原因となっていた。特に、上記特許文献２に記載される従来の電動工具装置の場合、モータをハウジングの把持部側（ハンドル部）に収納配置するようにした関係から、電気配線類の取り回し処理がさらに複雑化しており、組立作業の複雑化が予想される。ちなみに、上記特許文献２には、電気配線類の取り回し処理の容易化のための対策など、装置構成の変更に伴う不具合点の改善手段について何ら記載されていない。
【０００８】
本発明は、上述した課題の存在に鑑みてなされたものであって、その目的は、ハウジングの把持を受ける部分にモータを内蔵させることによってコンパクト化を図った電動工具装置において、組立性の向上を図ることにある。
【課題を解決するための手段】
【０００９】
以下、本発明について説明する。なお、本発明の理解を容易にするために添付図面の参照番号を括弧書きにて付記するが、それにより本発明が図示の形態に限定されるものではない。
【００１０】
本発明に係る電動工具装置（１０）は、駆動源となるモータ（１２）と、前記モータ（１２）からの駆動力を工具に伝達する出力機構部（２０）と、前記モータ（１２）が備えるモータ出力軸（１３）と前記出力機構部（２０）が備える動力伝達軸（２１）とに係合し、前記モータ出力軸（１３）からの回転駆動力を前記動力伝達軸（２１）に伝達可能である中間軸（４０）と、電力供給源からの電力を前記モータ（１２）に供給するとともに該モータ（１２）の制御を行う電気系統部（５０）と、装置の外郭を構成するハウジング（３０）と、を備え、前記モータ出力軸（１３）に対して前記動力伝達軸（２１）が角度を持って配置されている電動工具装置（１０）であって、前記ハウジング（３０）は、前記モータ（１２）及び前記中間軸（４０）を収納するモータ収納領域（β）と、前記出力機構部（２０）を収納する出力機構収納領域（α）と、前記電気系統部（５０）を収納する電気系統収納領域（γ）と、から成る３つの領域に仕切られて構成されていることを特徴とする。
【００１１】
本発明に係る電動工具装置（１０）において、前記ハウジング（３０）は、前方に工具装着手段（２５）を備えるとともに内部に前記出力機構部（２０）を収納するハウジング本体部（３１）と、前記ハウジング本体部（３１）から下方に延びて設けられ、操作者からの把持を受けるとともに内部に前記モータ（１２）、前記中間軸（４０）及び前記電気系統部（５０）を収納するハウジング把持部（３２）と、から構成されており、前記ハウジング本体部（３１）には前記出力機構収納領域（α）が設けられ、また、前記ハウジング把持部（３２）には前記モータ収納領域（β）及び前記電気系統収納領域（γ）が設けられており、さらに、前記３つの領域は、前記ハウジング（３０）内に形成された仕切壁（３０ａ）によって仕切られていることとすることができる。
【００１２】
また、本発明に係る電動工具装置（１０）において、前記出力機構部（２０）は、外郭全体が少なくとも３つの部材を組み合わせて構成されるケース（２４）によって覆われていることとすることができる。
【００１３】
さらに、本発明に係る電動工具装置（１０）において、前記ケース（２４）は、構成部材のうちの少なくとも１つが金属材料によって構成されており、且つ、該ケース（２４）に設置可能な軸受（４７）を介して前記中間軸（４０）を軸支可能であることとすることができる。
【００１４】
なお、上記発明の概要は、本発明の必要な特徴の全てを列挙したものではなく、これらの特徴群のサブコンビネーションもまた発明となり得る。
【発明の効果】
【００１５】
本発明では、ハウジングの把持を受ける部分にモータを内蔵させることによってコンパクト化を図った電動工具装置において、駆動源となるモータと、前記モータからの駆動力を工具に伝達する出力機構部と、前記モータが備えるモータ出力軸と前記出力機構部が備える動力伝達軸とに係合し、前記モータ出力軸からの回転駆動力を前記動力伝達軸に伝達可能である中間軸と、電力供給源からの電力を前記モータに供給するとともに該モータの制御を行う電気系統部と、をユニット化し、これらをそれぞれ簡単にハウジング内に収納できるようにハウジング内に収納領域を区分した。したがって、本発明によれば、従来技術に比べて高い組立性を有する電動工具装置が実現できる。
【００１６】
また、本発明では、ハウジングの区分けを仕切壁によって行ったので、該仕切壁が電気的絶縁機能を発揮するとともに、ハウジング内での異物の移動が規制され、特に電気配線類を保護する上で非常に好適な電動工具装置を提供することができる。
【００１７】
さらに、本発明では、ハウジングに仕切壁を設けたこと、及び出力機構部をケースによって覆ったことによって、電動工具装置自体の剛性が向上した。
【発明を実施するための最良の形態】
【００１８】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。さらに、本実施形態に係る電動工具装置は、インパクトドライバとして構成される場合を例示して説明するものであるが、本発明に係る電動工具装置はこのような形態に限定されるものではなく、ドリル、スクリュードライバ、レンチ、鋸、ハンマドリル、グラインダ、ミキサ、トリマなど、あらゆる電動工具装置に適用することが可能である。
【００１９】
図１は、本実施形態に係る電動工具装置の全体構成を示す縦断面側面図である。図１において示される本実施形態に係る電動工具装置１０は、電源コード５１が接続された可搬型のインパクトドライバとして構成される型式の装置である。そして、本実施形態に係る電動工具装置１０は、主要な構成部材として、駆動源となるモータ１２と、このモータ１２からの駆動力を工具に伝達するための出力機構部２０と、モータ１２と出力機構部２０との間で駆動力伝達可能に接続する中間軸４０と、電力供給源からの電力を電源コード５１を介してモータ１２に供給するとともに該モータ１２の制御を行う電気系統部５０と、装置の外郭を構成するハウジング３０とを有している。
【００２０】
ハウジング３０は、前方に工具装着手段としてのビットホルダ２５を備えるとともに内部に出力機構部２０を収納するハウジング本体部３１と、ハウジング本体部３１から下方に延びて設けられ、操作者からの把持を受けるとともに内部にモータ１２、中間軸４０及び電気系統部５０を収納するハウジング把持部３２とから構成されている。このように、ハウジング把持部３２の下方にモータ１２を配置し、装置全体の重量バランスを考慮することによって、重心が装置の概略中心に位置することとなるので、操作性の良い電動工具装置１０が実現される。
【００２１】
駆動源となるモータ１２は、上述したように電動工具装置１０の持ち手となる部分の下方であるハウジング把持部３２の下方に収納設置されている。このモータ１２は、モータ駆動力を外部に伝えるためのモータ出力軸１３が上方を向くように設置されている。また、下方にはブラシ５４が配置されており、図示しない外部電力供給源からの電力を電源コード５１を介して受け、電力を回転運動に変換できるようになっている。なお、モータ１２の下方には、冷却用のファン１５が設置されており、このファン１５によって発生する冷却風がハウジング３０内を通過することによって、ハウジング３０内の適度な温度状態が維持されている。
【００２２】
ハウジング本体部３１内に設置される出力機構部２０は、モータ１２の駆動力を受けて回転駆動される動力伝達軸２１と、動力伝達軸２１に連結されるインパクト機構部２２とを備えている。このインパクト機構部２２は、アンビル２２ａとハンマ２２ｂとを有するものであり、ねじ締め作業において、ビットホルダ２５に装着される不図示の工具を経てアンビル２２ａに一定以上の外部トルク（ねじ締め抵抗）が付加されると、ハンマ２２ｂがアンビル２２ａに対して回転方向に打撃し、これにより強固なねじ締めを行うことができるようになっている。
【００２３】
また、動力伝達軸２１には、インパクト機構部２２とは逆側（すなわち装置の後方側）に、モータ１２の回転駆動力を受けるための出力機構部側傘歯車２３が設置されている。この出力機構部側傘歯車２３は、回転中心の位置にスプライン溝２３ａが形成された取付孔を有している。また、出力機構部側傘歯車２３が設置される動力伝達軸２１の外周面にもスプライン溝２１ａが形成されている。そして、動力伝達軸２１と出力機構部側傘歯車２３とは、互いに有するスプライン溝２１ａ，２３ａ同士が嵌合して接続されている。このような構成としたのは、モータ１２からの駆動力を受ける出力機構部側傘歯車２３が軸方向の打撃力を直接受けないようにするためであり、出力機構部側傘歯車２３に対して動力伝達軸２１を軸方向でスライド移動自在なように構成しておくことにより、動力伝達軸２１に加わる軸方向の打撃力を逃がし、出力機構部側傘歯車２３への直接的な衝撃力の伝播を防止している。
【００２４】
中間軸４０は、上述したモータ１２が備えるモータ出力軸１３と、動力伝達軸２１が備える出力機構部側傘歯車２３とを接続するための軸状部材である。この中間軸４０は、モータ１２が備えるモータ出力軸１３と軸方向で平行となるように配置されており、一方、動力伝達軸２１に対しては角度を持って配置されている。すなわち、本実施形態に係る電動工具装置１０においては、中間軸４０と平行に配置されるモータ出力軸１３と、出力機構部２０が備える動力伝達軸２１とが、角度を持って配置されている。中間軸４０は、モータ出力軸１３からのモータ駆動力を出力機構部側傘歯車２３に伝えることによって出力機構部２０を動作させており、この動作によって工具（不図示）によるねじ締め作業が実現されている。
【００２５】
モータ出力軸１３と動力伝達軸２１との配置関係を、上記のように角度を持って配置することにより、ハウジング３０の外郭形状が非常に理想的な形状となる。具体的には、本実施形態に係る電動工具装置１０では、従来の電動工具装置においてモータ１２と出力機構部２０の両方が収納設置されていたハウジング本体部３１からモータ１２を取り除くことができたので、ハウジング本体部３１が非常にコンパクトな形状となっている。ハウジング本体部３１をコンパクト化することによって、狭い場所での装置の操作性が飛躍的に向上する。
【００２６】
なお、本実施形態に係る中間軸４０は、モータ出力軸１３側に設置される第１の中間軸４１と、動力伝達軸２１側に設置される第２の中間軸４２とが直列に連結された２分割軸として構成されている。
【００２７】
第１の中間軸４１には、モータ出力軸１３の歯車部と噛み合う歯車４１ａが設置されており、モータ出力軸１３の回転駆動力を受容している。また、この歯車４１ａによって、約２２，０００ｒｐｍ程度あるモータ１２の回転駆動力が一段階減速されている。
【００２８】
さらに、第１の中間軸４１の上方の端部には、接続部材４３が圧入されるとともに、上端部に形成されたキー溝に対してキー４４が設置されている。一方、第２の中間軸４２の下方の端部にもキー溝が形成されており、このキー溝は第１の中間軸４１に設置されるキー４４に嵌り込むことが可能となっている。そして、第２の中間軸４２の下方の端部を接続部材４３に嵌め込むことによって第１の中間軸４１及び第２の中間軸４２の接続が行われ、さらに、第１の中間軸４１及び第２の中間軸４２の両方に嵌め込まれるキー４４の作用によって、両軸の連結状態が実現されている。
【００２９】
またさらに、第２の中間軸４２の上方の端部には、出力機構部側傘歯車２３と噛合う中間軸側傘歯車４２ａが設置されており、ここで二段階目の減速が行われている。以上の構成によって、中間軸４０によるモータ駆動力の好適な伝達が実現されている。
【００３０】
以上のように、本実施形態では、モータ出力軸１３と動力伝達軸２１とを接続する中間軸４０を１本の軸とするのではなく、２分割軸として構成することによって、装置の加工誤差、組立誤差を吸収することができるので、歯車同士の噛み合い状態が飛躍的に向上し、騒音の低減効果を発揮することが可能となっている。
【００３１】
また、本実施形態に係る中間軸４０では、モータ出力軸１３側に設置される第１の中間軸４１を第２の中間軸４２よりも短い長さとする構成を採用している。高速回転を受けることとなる第１の中間軸４１をなるべく短い長さで構成することによって、軸の回転運動が安定し、さらに歯車同士の噛み合い状態も改善されるので、騒音の低減だけでなく、装置の安定駆動にともなう装置寿命の向上をも実現される。
【００３２】
さらに、モータ出力軸１３の高速回転を一段階減速することとなる第１の中間軸４１については、その両端部を軸受４５，４６によって確実に軸支する構成を採用することが好適である。上述したように、モータ出力軸１３に近い第１の中間軸４１をなるべく短い長さとし、さらに、軸受４５，４６を両端側に設置することによって、第１の中間軸４１の設置状態がさらに安定し、騒音低減、歯車の噛み合わせ向上、安定駆動、長寿命化などの効果がさらに向上することとなる。
【００３３】
一方、第２の中間軸４２については、モータ出力軸１３に近い第１の中間軸４１に比べて長く構成することが可能であり、さらにその設置構造については、第１の中間軸４１のように強固に固定設置する必要がない。そこで、第２の中間軸４２については、中間軸側傘歯車４２ａに近い一箇所のみに軸受４７を設置することとしている。
【００３４】
電気系統部５０は、主にハウジング把持部３２の前面側に収納されるものであり、図１において示すように、図示しない電力供給源からの電力をモータ１２に対して供給する電源コード５１や、ハウジング把持部３２の前面側に設けられたスイッチパネル５２に接続されるとともにスイッチパネル５２の操作に応じて制御信号を発信する制御回路ボード５３、モータ１２の回転子に設置されるコミュテータを介してモータ１２に対して電力を供給するブラシ５４、押し込み量に応じてモータ１２の制御を行うスイッチ５８、及びこれら電気機器を電気的に接続する配線コード（図示略）などから構成されている。
【００３５】
以上、本実施形態に係る電動工具装置１０の主要な構成部材について説明したが、本実施形態が有する有意な構成として、ハウジング３０の構成を挙げることができる。この本実施形態特有の構成を有するハウジング３０について、図２を用いて説明を行う。ここで、図２は、本実施形態に係るハウジングの構造を説明するための縦断面側面図である。
【００３６】
図２において示されるように、本実施形態に係るハウジング３０は、出力機構部２０を収納する出力機構収納領域αと、モータ１２及び中間軸４０を収納するモータ収納領域βと、電気系統部５０を収納する電気系統収納領域γと、から成る３つの領域に仕切られて構成されていることを特徴としている。そして、本実施形態に係る３つの領域については、ハウジング本体部３１に出力機構収納領域αが設けられ、ハウジング把持部３２にモータ収納領域β及び電気系統収納領域γが設けられるという構成が採用されている。かかる構成の採用によって、ユニット化された電動工具装置１０の構成部材が非常に組み込み易くなり、組立性の向上した電動工具装置１０を実現することができる。
【００３７】
なお、ハウジング３０を３つの領域に仕切る構成には、ハウジング３０内に設けられる仕切壁３０ａを採用することが好適である。仕切壁３０ａを設けることによって、３つの領域が明確に区分けされるとともに、電動工具装置１０の構成部材である出力機構部２０、モータ１２、中間軸４０及び電気系統部５０を組み込んだときに、これらの部材のハウジング３０内での収納安定性が向上する。また、仕切壁３０ａ自体が電気的絶縁機能を発揮するので、特に電気系統部５０を保護する面からも好適である。さらに、仕切壁３０ａは、ハウジング３０内で用いられる歯車等の機械部品から飛散する可能性のあるグリスやゴミ等の拡がりを抑えるという効果も発揮することができるので、特に電気系統部５０を保護して耐久性を向上し、装置自体の長寿命化をも実現することができる。またさらに、ハウジング３０内に立設される仕切壁３０ａの存在によってハウジング３０の剛性が向上し、長寿命で耐衝撃性の高い電動工具装置１０が実現する。
【００３８】
以上、ハウジング３０が有する好適な構成について説明したが、本実施形態に係る電動工具装置１０は、さらに有意な特徴を有している。かかる特徴は、出力機構部２０を覆うように設置されるケース２４を備えるという点である。このケース２４の構成と作用・効果について、図３及び図４を用いて説明する。ここで、図３は、本実施形態に係るケースの周辺構成を説明するための要部縦断面側面図であり、図４は、本実施形態に係るケースの構成を説明するための縦断面側面図である。
【００３９】
図１、図３及び図４において示されるように、本実施形態に係る出力機構部２０は、外郭全体が少なくとも３つの部材を組み合わせて構成されるケース２４によって覆われた状態でハウジング本体部３１内に収納されている。このように、ハウジング本体部３１に内蔵されるケース２４によって出力機構部２０が覆われているのは、繰り返し打撃力を受けることとなる出力機構部２０を保護するとともに、安定・確実な駆動力の伝達を実現するためである。
【００４０】
本実施形態に係るケース２４は、ハウジング本体部３１の前方側で出力機構部２０を収納するインパクト機構収納ケース２４ａと、軸受２７を介して出力機構部側傘歯車２３を支持するギヤケース２４ｂと、動力伝達軸２１の後方端部を軸受２６を介して軸支し、さらに軸受２７を介して出力機構部側傘歯車２３も同時に軸支する軸受ホルダー２４ｃという３つの部材から構成されている。そして、これらインパクト機構収納ケース２４ａとギヤケース２４ｂと軸受ホルダー２４ｃとは、アルミニウムやアルミニウム合金などの金属材料によって構成されているので、繰り返し加わる打撃力に耐え得る剛性を備えている。
【００４１】
なお、ケース２４の組立手順は、まず、軸受ホルダー２４ｃに対して軸受２６を設置するとともに、軸受ホルダー２４ｃとギヤケース２４ｂとによって出力機構部側傘歯車２３を組み付けた軸受２７を挟み込んだ状態で軸受ホルダー２４ｃとギヤケース２４ｂを確実に固定する。この固定手段としては、ねじを用いた螺合等の接合手段を採用すれば良い。次に、この状態で動力伝達軸２１を含む出力機構部２０を設置する。そして、ギヤケース２４ｂに対してインパクト機構収納ケース２４ａを設置することによって、ケース２４に収納された出力機構部２０の組み立てが完了する。なお、本実施形態では、ギヤケース２４ｂに対するインパクト機構収納ケース２４ａの設置を、それぞれの接合面に形成されたねじ溝同士を螺合させることによって実現しているが、この接合手段についても、ねじ止め等のあらゆる接合手段を採用することが可能である。ただし、軸受ホルダー２４ｃとギヤケース２４ｂ、ギヤケース２４ｂとインパクト機構収納ケース２４ａの接合手段については、メンテナンス性などを考慮して、繰り返して分解・組立し易い方法を採用することが好適である。
【００４２】
また、本実施形態に係るケース２４では、ギヤケース２４ｂが第２の中間軸４２を支える軸受４７を設置可能とするために、下方中央部に開口部２４ｂ１を備える構成を採用している。そして、ギヤケース２４ｂがアルミニウム又はアルミニウム合金等の金属材料によって構成されているので、本実施形態に係るケース２４は、第２の中間軸４２の安定した回転運動を支承できるようになっている。
【００４３】
以上、本発明の好適な実施形態について説明したが、本発明の技術的範囲は上記実施形態に記載の範囲には限定されない。上記実施形態には、多様な変更又は改良を加えることが可能である。
【００４４】
例えば、上述した本実施形態に係る電動工具装置１０は、ハウジング把持部３２における操作者からの把持を受けることとなる位置に、ちょうどモータ出力軸１３が配置されることとなっている。そして、モータ出力軸１３は、モータ１２によって発生する約２２，０００ｒｐｍの回転駆動力を減速されずにそのまま受けることとなるので、ハウジング３０内で最も高温の部位となる。そこで、本実施形態に係る電動工具装置１０では、図５及び図６に示すような温度対策のための構成を採用することとした。ここで、図５は、本実施形態に係る電動工具装置の多様な改良例を説明するための外観側面図であり、図６は、本実施形態に係る電動工具装置の多様な改良例を説明するための縦断面側面図である。
【００４５】
図５及び図６において示される電動工具装置１０では、高温部となるモータ出力軸１３を受ける軸受６１の周囲に断熱部材６２が設置されている（図６参照）。この断熱部材６２は、断熱性能の高いゴムやエラストマー、熱可塑性エラストマー、プラスチック、樹脂などで形成される部材であり、高速回転して高温部位となる軸受６１に対して直接設置されることにより、ハウジング把持部３２への温度の伝達を抑制する役割を担っている。
【００４６】
また、図５及び図６において示される電動工具装置１０では、操作者が把持を行うこととなるハウジング３０の外周表面の部位にも、断熱部材６０が設置されている（図５における網掛け部分参照）。この断熱部材６０についても、断熱性能の高いゴムやエラストマー、熱可塑性エラストマー、プラスチック、樹脂などで形成することが好適である。なお、この断熱部材６０については、二色成形などの製法を採用することによって、プラスチック等から成るハウジング３０と同時に成形することが可能である。
【００４７】
さらに、図５及び図６において示される電動工具装置１０では、高温部となるモータ出力軸１３を受ける軸受６１の設置位置に対応するハウジング３０の位置の周辺に風窓６３が設けられている（図５参照）。そして、モータ１２の下方に設置される冷却用のファン１５の回転に伴って、風窓６３からは冷却風が吸引されることになる。したがって、軸受６１付近の熱は、風窓６３から導入される冷却風によって冷まされることとなる。
【００４８】
図５及び図６を用いて説明したような改良を加えることによって、さらに好適な電動工具装置１０が実現する。なお、以上の様な変更又は改良を加えた形態も本発明の技術的範囲に含まれ得ることが、特許請求の範囲の記載から明らかである。
【図面の簡単な説明】
【００４９】
【図１】本実施形態に係る電動工具装置の全体構成を示す縦断面側面図である。
【図２】本実施形態に係るハウジングの構造を説明するための縦断面側面図である。
【図３】本実施形態に係るケースの周辺構成を説明するための要部縦断面側面図である。
【図４】本実施形態に係るケースの構成を説明するための縦断面側面図である。
【図５】本実施形態に係る電動工具装置の多様な改良例を説明するための外観側面図である。
【図６】本実施形態に係る電動工具装置の多様な改良例を説明するための縦断面側面図である。
【符号の説明】
【００５０】
１０  電動工具装置、１２  モータ、１３  モータ出力軸、１５  ファン、２０  出力機構部、２１  動力伝達軸、２１ａ  スプライン溝、２２  インパクト機構部、２２ａ  アンビル、２２ｂ  ハンマ、２３  出力機構部側傘歯車、２３ａ  スプライン溝、２４  ケース、２４ａ  インパクト機構収納ケース、２４ｂ  ギヤケース、２４ｂ１  開口部、２４ｃ  軸受ホルダー、２５  ビットホルダ、２６  軸受、２７  軸受、３０  ハウジング、３０ａ  仕切壁、３１  ハウジング本体部、３２  ハウジング把持部、４０  中間軸、４１  第１の中間軸、４１ａ  歯車、４２  第２の中間軸、４２ａ  中間軸側傘歯車、４３  接続部材、４４  キー、４５，４６，４７  軸受、５０  電気系統部、５１  電源コード、５２  スイッチパネル、５３  制御回路ボード、５４  ブラシ、５８  スイッチ、６０  断熱部材、６１  軸受、６２  断熱部材、６３  風窓、α  出力機構収納領域、β  モータ収納領域、γ  電気系統収納領域。
【図１】
2007290071.tif 000003
【図２】
2007290071.tif 000004
【図３】
2007290071.tif 000005
【図４】
2007290071.tif 000006
【図５】
2007290071.tif 000007
【図６】
2007290071.tif 000008